(57)【要約】【課題】テープ状紐で、物を縛るとき、手で簡単に、楽に、速く奇麗に、取扱いやすく安価なテープ状の紐で、結びを伴わないで、その紐の幅のままで、物を適当な強さで引き絞めて、片手で緊張を維持して縛りたい。【解決手段】テープ状紐（３）が捩れないで、緊張を維持出来る、絞め付け具（１）または、絞め付け具（２）を造り、物（４）に巻いたテープ状紐（３）の両端を挟み、紐を絞め付け具（１）または、絞め付け具（２）に巻き付けて、適当な強さで、締め付けて、片手で緊張を維持して、もう一方の手で、双方に緊張した紐（３）の部分を繋ぎの接着テープ（５）で繋ぎ合わせて縛る。テープ状紐（３）と、締め付け具（１）又は、絞め付け具（２）と、繋ぎの接着テープ（５）、の三つの組み合わせで解決。【選択図】    図４
2004224437.tif 000002
【特許請求の範囲】
【請求項１】
テープ状紐（３）で物（４）を縛るとき、テープ状の紐（３）が捩れないように、縛る物（４）に巻きつけて、その両端がある程度の長さで重なるようにして切る。そして重なり合った部分の、ほぼ中央部を、絞め付け具（１）の、すり割溝に挟み、挟まれた部分の、テープ状紐（３）を軽く手で押えて、絞め付け棒（１）を左右どちらかに廻し、テープ状紐（３）を、絞め付け棒具（１）に巻き付けて、縛る物（４）を適当な強さで引締め付けて、双方に緊張した状態のテープ状の紐（３）の上に、所定の長さにカットされた、繋ぎの接着テープ（５）を貼り付ける。それから絞め付け具（１）を反転させて、絞め付け棒（１）に巻き付いた、テープ状紐（３）を緩めて、絞め付け具（１）を抜き去って縛りは完了する、このテープ状紐（３）で物（４）を縛る方法。
【請求項２】
【請求項１】に述べたテープ状紐（３）を絞め付け具（１）の、すり割溝に挟むとしたが、ここでは【請求項３】に記した、絞め付け具（２）の、テープ状紐（３）を挟持するようにした、一対の平らな挟み部を有する、絞め付け具（２）で【請求項１】の縛る方法。
【請求項３】
請求項１記載の、テープ状紐（３）の幅より少し長めの、すり割溝を設けた、絞め付け具（１）、絞め付け具（１）、の形状は、フラットバー、丸棒、多角形、で出来た絞め付け具。
【請求項４】
先端が二股に開いて、握り部の把握により、先端が弾性的に閉鎖して、テープ状紐（３）を挟持する（掴む）ようにした、一対の平らな挟み部を有する、絞め付け具（２）。
【発明の詳細な説明】
【０００１】
【発明の属する技術分野】
本発明は、古新聞、段ボール紙など、また輸送物等、被包装物品を、紐類で縛る。
【０００２】
【従来の技術】
従来は手で、紐類を物品に巻き、絞め付けて、両端を結んで縛るとか、結束具を使用し結んで縛る、バンドで絞める、管に通して圧着する、などがある。結束器−特開平１１−２６３３２５等がある。
【０００３】
【発明が解決しようとする課題】
物を縛るとき、手で紐を物に巻き付けて緊張し結束するか、市販の結束機で結束している。日常家庭においても、縛りたい物が沢山あり、それらは形、大きさ等、千差万別で、古新聞、不揃いの不要段ボール紙など、木切れ、など沢山ある。
これらを機械結束器に掛ける事は、緒事情により到底出来ない。縛る場所でも事欠く、多種多様な物を縛るには、手でないと縛れない物が多い、手の場合は緊張に力を要し、また、緊張を緩めず、結束するのが困難な場合が多い。縛るには、それに合った力と、結び方の技量を要する。誰にでも楽に出来る事ではない。また縛るとき、緩まないようにする為に、強度的には１回巻きで良いが、数回巻きにして、紐を絡ませて、緩みを少なくしてから結ぶことが多い、すると数倍分の量の紐と、手間や、余分の紐が必要になる。また結んだ後で、余分な部分も切り捨てる事で、切る手間と、紐の無駄が何倍も多い。ごみも多くなる。
【０００４】
テープ状紐で、物を縛るとき、手で引っ張ると、必然的に細く捩れてしまう、また結びと、捩れは必ず、同時に起こる。結んで縛ると、結び目ができ、この結び目で、あとで何かと困る事も多い。品物に傷がついたり、見た目も奇麗でない。細く捩れたテープ状紐は、引っ張る手に食い込んで、手が痛くて充分な縛りが出来ない、捩れた部分が、品物に傷をつけることも多い。
【０００５】
しかしテープ状紐には、上手に特性を生かして使えば利点が多い。薄くてもそれなりの強度もあり、荷造り等に於いて、取扱い易く、比較的に値段も安い。薄いことは大きな魅力である。捩れないよう、品物を適当な力で締め付けて、両端を結ばない方法で、どんな場所でも気楽に、結ぶ技術を必要とせず、テープ状紐幅のままで、縛れたら理想である。以上の問題がある。
【０００６】
【課題を解決するための手段】
上記目的を達成する為には、まずテープ状紐を使用すし、縛る物に巻き付けて、テープ状紐が細く捩れないように、そしてまた左右にずれないように、一直線上に引締める為の、すり割溝を有した、絞め付け具なる道具を考案した。縛る方法は、縛る紐は、テープ状紐（３）で、捩れないように、縛る物（４）に巻き、そのテープ状紐（３）の両端が、一直線上で、適当な長さで重なり合うようにして、重なり合ったテープ状紐（３）の中ほどを、絞め付け具（１）の、すり割溝に挟み、挟まれた部分の、テープ状紐（３）を軽く押えて、絞め付け棒（１）を左右どちらかに廻し、テープ状紐（３）を、絞め付け棒（１）に巻き付けて、縛る物（４）を、適当な強さで絞め付けて、双方に緊張した状態のテープ状紐（３）の上に、所要な長さにカットされた、繋ぎの接着テープ（４）を貼り付ける。それから、絞め付け具（１）を反転させて、巻き付いたテープ状紐（３）を緩めて、絞め付け具（１）を抜き去り、縛りは完了。という方法にする。
【０００７】
【発明の実施の形態】
発明の実施の形態を、図面を参照して説明する。
図１に示す如く、縛るテープ状紐（３）幅より、少し広めの、すり割溝を施した、絞め付け具（１）を用意する。図３、で示すように、縛ろうとする物（４）にテープ状紐（３）を、テープ状紐（３）幅のまま、捩れないように、軽く一回巻きし、両端の重なり部分が、絞め付け具（１）の幅の約３倍に切る。其の重なり合ったテープ紐（３）の、ほぼ真中を絞め付け具（１）の、すり割溝に挟む。図４、手で軽く、すり割溝部のテープ状紐（２）を押え、そのまま、絞め付け具（１）を、左右どちらかに回転させると、テープ状紐（２）は、テープ状紐（２）幅のまま、絞め付け具（１）に巻付き、そのまま、約半回転廻すと、緩むことなく、巻き込まれて、縛る物（４）を絞め付ける。適当に絞めた所で止め、其の緊張状態で、絞め付け具（１）を片手で保持して、双方に緊張したテープ状紐（３）の上に、もう一方の手で、繋ぎの接着テープ（５）を、適当な長さで貼り付ける。そこで、絞め付け棒具（１）を約半回逆回転し抜き去る。図５の如く、これで縛りは完了。テープ状紐を挟んで絞め付ける方法で、絞め付け具は（１）、（２）でも良い。
【０００８】
【実施例】
古新聞紙二つ折り重量８ｋｇを縛る、この時使用した、絞め付け具は、平鉄で幅１３ミリ、厚さ３ミリ、長さ４００ミリ。すり割溝は、幅３ミリ、長さ６０ミリ。テープ状紐は材質はポリプロピレン、幅５０ミリ、厚みは、０．０２ミリ、絞め付けたテープ状紐の張力は１５ｋｇ、縛りは２ヶ所、絞め付け具の１回転で紐を引締める長さは、絞め付け具の外周の２倍になる為、６．４ｃｍ締め付けることになる。
【０００９】
【実施例２】
廃ダンボール紙、不揃いサイズ、約、縦７５ｃｍ、横５０ｃｍ、重量８ｋｇ。絞め付け棒は、フラットバー、材質ＳＵＳ３０４、幅３０ｍｍ、厚さ２ミリ。すり割溝幅３ｍｍ、長さ６０ｍｍ。テープ状紐はポリプロピレン、幅５０ｍｍ、厚み０．０２ｍｍ、で縛る。締め付けたテープ状紐の張力は２０ｋｇ、縛りは２ヶ所。絞め付け具（１）一回転で１２．８ｃｍ締め付けることになる。
【００１０】
【発明の効果】
本発明は、以上説明したように、以下に記載されるような効果を奏す。
テープ状紐（３）の幅のままで、一直線上に、均等に引っ張れるので、幅方向の左右のずれが無く、テープ状紐（３）が捩れないので、繋ぐ接着テープ（５）の、繋ぎ効果は１００％である。また絞め付け力は、絞め付け具（１）により倍化されるので、容易に強く締め付けが出来るし、手加減でコントロール出来る。また縛るテープ状紐（３）に、直接触れないので、手が痛くない。ゆっくり、落ち着いて作業も出来る。結び目が無いので、奇麗で取扱いやすい。また捩れで起こる商品等の傷みも無い。結ぶ作業が無いので、結びの技量が必要無くて、作業が楽で、比較的速い。締め付けた状態を片手でも、維持できるので、もう一方の手で、落ち着いて繋ぎの接着テープ（５）を貼る作業が出来る。
【００１１】
紐を引締める速さと言うか、長さは１回転で絞め付け棒（１）の外周の長さの２倍になる為、結構速い。例えば幅２ｃｍ厚み０．３ｃｍの絞め付け具ならば１回転で９．２ｃｍ紐を引締める。またテープ状紐が使用できるのは、コストや管理の面で楽である。また物を縛る紐は、１回巻きなので、紐の使用量が少ないので、コスト、塵、等の面で効果がある。紐は数回巻くことも可能である。
【００１２】
道具としては、シンプルな、絞め付け具１本で、縛り作業が出来るので、あまり場所を選ばない。テープ状紐で、物品を縛る作業において、絞め付け具と、繋ぎの接着テープの、この３品で理想的な縛りが出来る。また段ボール箱など多数積み上げての、搬送においても、崩れては困る個所だけ、幅広のテープとか、帯を巻き付ける等の場所にも応用できる。日常では、家庭の古新聞、古段ボール紙、などの廃品の縛りにも重宝する。
【図面の簡単な説明】
【図１】絞め付け具（１）の斜視図である。
【図２】絞め付け具（２）の斜視図である。
【図３】テープ状紐（３）の重なり部分の、ほぼ中央部を、絞め付け具（１）のすり割溝に挟んだ斜視図である。
【図４】テープ状紐（３）を、絞め付け具（１）に巻き付けて、物（４）を絞め付けて緊張しているところで、テープ状紐（３）に、繋ぎの接着テープ（５）を貼り付ける寸前の斜視図である。
【図５】テープ状紐を接着テープで繋ぎ、物を縛り終わった斜視図である。
【符号の説明】
１  絞め付け具
２  絞め付け具
３  テープ状紐
４  物
５  接着テープ
【図１】
2004224437.tif 000003
【図２】
2004224437.tif 000004
【図３】
2004224437.tif 000005
【図４】
2004224437.tif 000006
【図５】
2004224437.tif 000007